(57)【要約】      （修正有）【課題】三味線や使用する人の衣類を傷つける心配がなく安心して使用できる折畳式携帯型三味線立て。【解決手段】第１のヒンジ部８及び第２のヒンジ部１５により全体を折り畳み方向に回動させると全体の外輪郭が裏面支持部２または底面支持部３の側面の短手方向の寸法とほぼ同一の厚さの一枚の板状体を形成し、第１のヒンジ部８により裏面支持部２と底面支持部３を畳みを開く方向に回動させ、第２のヒンジ部１５により底面支持部３と前下部支持部４を畳みを開く方向に回動させると、裏面支持部５と底面支持部３はほぼ直角に開き、底面支持部３と前下部支持部４もほぼ直角に開く。この組立後に平面１９に置くと、裏面支持部５は三味線の胴部裏面側上部を支持すべく鉛直方向やや斜めに立設し、底面支持部３は三味線の胴部底面両側部を支持すべく水平方向やや斜めに展開し、前下部支持部４は三味線の胴部前側下部を支持すべく鉛直方向やや斜めに立設する。【選択図】図２
2010175826.tif 000002
【特許請求の範囲】
【請求項１】
ほぼコの字形に形成され、組立後に三味線の胴部裏面側上部を支持する裏面支持部と、
ほぼコの字形に形成され、該コの字形の開口部と対向する一辺側を前記裏面支持部の前記コの字形の開口部の端部間に回動自在に保持され、組立後に三味線の胴部底面両側部を支持する底部支持部と、
該底面支持部の前記コの字形の開口部の端部間に回動自在に保持され、組立後に三味線の胴部前側下部を支持する前下部支持部と、
前記裏面支持部の前記底部支持部を回動自在に保持する第１のヒンジ部において前記裏面支持部の側面に露出する頭部を前記裏面支持部の側面よりも低く埋め込まれた第１の捻じ込み具と、
前記底部支持部の前記前下部支持部を回動自在に保持する第２のヒンジ部において前記底部支持部の側面に露出する頭部を前記底部支持部の側面よりも低く埋め込まれた第２の捻じ込み具と、
を有し、
前記第１のヒンジ部及び前記第２のヒンジ部により全体を折り畳み方向に回動させて折り畳んだとき、全体の外郭が前記裏面支持部又は前記前下部支持部の前記側面の短手方向の寸法とほぼ同一の厚さの一枚の板状体を形成し、
前記第１のヒンジ部及び前記第２のヒンジ部により全体を畳み開き方向に回動させて組立てたとき、前記裏面支持部と前記底部支持部は相対的にほぼ直角に開き、前記底部支持部と前記前下部支持部は相対的にほぼ直角に開き、組立後に所定の向きで平面に置いたとき、前記裏面支持部は三味線の胴部裏面側上部を支持すべく鉛直方向やや斜めに立設し、前記前下部支持部は三味線の胴部底面両側部を支持すべく水平方向やや斜めに展開し、前記前下部支持部は三味線の胴部前側下部を支持すべく鉛直方向やや斜めに立設する、
ことを特徴とする折畳式携帯型三味線立て。
【請求項２】
前記裏面支持部、前記底部支持部、又は前記前下部支持部は、木製、又は硬質樹脂製から成る、ことを特徴とする請求項１記載の折畳式携帯型三味線立て。
【請求項３】
前記第１又は第２の捻じ込み具はドライバで捻じ込み可能な金属製捻じ釘である、ことを特徴とする請求項１又は２記載の折畳式携帯型三味線立て。
【請求項４】
前記底部支持部は、回動部近傍に、前記裏面支持部の回動開き角度を所定の角度で開きを抑止する第１のストッパを形成され、
前記前下部支持部は、回動部近傍に、前記底部支持部の回動開き角度を所定の角度で開きを抑止する第２のストッパを形成されている、
ことを特徴とする請求項１、２又は３記載の折畳式携帯型三味線立て。
【発明の詳細な説明】
【技術分野】
【０００１】
本発明は、折畳式で携帯型の三味線立てに関する。
【背景技術】
【０００２】
書見台兼用の携帯式三味線立てが従来技術として知られている（例えば、特許文献１参照。）
【先行技術文献】
【特許文献】
【０００３】
【特許文献１】特許第４０２５７９８号
【発明の概要】
【発明が解決しようとする課題】
【０００４】
しかしながら、特許文献１の従来技術は、図１及び図７の外観から分かるように金具の露出部分が多い。三味線は皮や音響板に傷が付き易いから、三味線立てに金具の露出部分が多いと、三味線に傷を付け易いという課題がある。
【０００５】
また、携帯式の三味線立てを用いる人は、着物姿で居ることが多く、特に絹等の上等な着物を着ている場合が多い。着物に仕立てられる絹織物は尖ったものなどに僅かでも擦れると、傷がつきやすく、場合によっては大きなカギ裂き作りやすい。
【０００６】
携帯式で折畳み式の三味線立ては、通常は使用する者が自分で折畳んだり組立てたりするのであるから、特許文献１の従来技術のように、三味線立てに金具の露出部分が多いと使用者の上等な衣服を傷付け易いという課題がある。
【０００７】
また、特許文献１の従来技術は、図１及び図７の外観から分かるように、折畳んだ時点でも凹凸の多い構造で、携帯性に優れているとはいえない点が残るという課題がある。
【課題を解決するための手段】
【０００８】
上記の課題を解決するために、本発明は、ほぼコの字形に形成され、組立後に三味線の胴部裏面側上部を支持する裏面支持部と、ほぼコの字形に形成され、該コの字形の開口部と対向する一辺側を上記裏面支持部の上記コの字形の開口部の端部間に回動自在に保持され、組立後に三味線の胴部底面両側部を支持する底部支持部と、該底面支持部の上記コの字形の開口部の端部間に回動自在に保持され、組立後に三味線の胴部前側下部を支持する前下部支持部と、上記裏面支持部の上記底部支持部を回動自在に保持する第１のヒンジ部において上記裏面支持部の側面に露出する頭部を上記裏面支持部の側面よりも低く埋め込まれた第１の捻じ込み具と、上記底部支持部の上記前下部支持部を回動自在に保持する第２のヒンジ部において上記底部支持部の側面に露出する頭部を上記底部支持部の側面よりも低く埋め込まれた第２の捻じ込み具と、を有し、上記第１のヒンジ部及び上記第２のヒンジ部により全体を折り畳み方向に回動させて折り畳んだとき、全体の外郭が上記裏面支持部又は上記前下部支持部の上記側面の短手方向の寸法とほぼ同一の厚さの一枚の板状体を形成し、上記第１のヒンジ部及び上記第２のヒンジ部により全体を畳み開き方向に回動させて組立てたとき、上記裏面支持部と上記底部支持部は相対的にほぼ直角に開き、上記底部支持部と上記前下部支持部は相対的にほぼ直角に開き、組立後に所定の向きで平面に置いたとき、上記裏面支持部は三味線の胴部裏面側上部を支持すべく鉛直方向やや斜めに立設し、上記前下部支持部は三味線の胴部底面両側部を支持すべく水平方向やや斜めに展開し、上記前下部支持部は三味線の胴部前側下部を支持すべく鉛直方向やや斜めに立設する、ことを特徴とする折畳式携帯型三味線立てを提供する。
【発明の効果】
【０００９】
本発明は、折畳式携帯型三味線立てにおいて、折り畳むと一枚の板状体を成して携帯性に優れ、ヒンジ部で側面に露出する捻じ込み具の頭部が側面よりも低く埋め込まれているので三味線や使用する人の衣類を傷つける心配がなく安心して使用できるという効果を奏する。
【図面の簡単な説明】
【００１０】
【図１】本発明の実施例１に係る折畳式携帯型三味線立ての折り畳み図であり、(a) は折り畳んだ状態の平面図（正面図）、(b) はその側面図、(c) は背面図である。
【図２】(a) は本発明の実施例１に係る折畳式携帯型三味線立ての畳みを開いて使用可能な形態にした組立後の側面図であり、(b) はその組立後において三味線の胴部と共に示す斜視図である。
【図３】本発明の実施例１に係る折畳式携帯型三味線立ての組立後において三味線本体と爪を保持した状態の全体像を示す斜視図である。
【発明を実施するための形態】
【００１１】
以下、本発明の実施の形態について、詳細に説明する。
【実施例１】
【００１２】
図１(a),(b),(c) 及び図２(a),(b) を用いて本発明の実施例１に係る折畳式携帯型三味線立てを説明する。図１(a) は、本例の折畳式携帯型三味線立ての折り畳んだ状態の平面図（正面図）、(b) はその側面図、(c) は背面図である。
【００１３】
図２(a) は、本例の折畳式携帯型三味線立ての畳みを開いて使用可能な形態にした組立後の側面図であり、(b) はその組立後において三味線の胴部と共に示す斜視図である。
【００１４】
図１(a),(b),(c) 及び図２(a),(b) に示すように、この折畳式携帯型三味線立て１は、ほぼコの字形に形成された裏面支持部２と、この裏面支持部２のコの字形の開口部の端部間に回動自在に保持されたこれもほぼコの字形に形成された底面支持部３と、この底面支持部３のコの字形の開口部の端部間に回動自在に保持された前下部支持部４を備えている。これら裏面支持部２、底面支持部３又は前下部支持部４は、木製又は硬質樹脂製から成っている。
【００１５】
裏面支持部２は、２本の支持腕５（５ａ、５ｂ）と、この２本の支持腕５を連結する１本の連結棒６から成るほぼコの字形の形状に形成され、組立後に三味線の胴部裏面側上部を支持するように構成されている。連結棒６の前部中央には、図１(a) に示すように、楽譜の背表紙部分を位置決めするための断面が半円形に切り込まれて形成された楽譜背受部１０が形成されている。
【００１６】
上記の連結棒６は連結具７（７ａ、７ｂにより２本の支持腕５に固定されている。連結具７は、例えばドライバで捻じ込み可能な金属製捻じ釘であり、裏面支持部２の側面に露出する頭部は、裏面支持部２の側面よりも低く埋め込まれた状態で捻じ込まれている。
【００１７】
そして、裏面支持部２は、コの字形の開口部の端部間に、２箇所の第１のヒンジ部８（８ａ、８ｂ）により底面支持部３を回動自在に支持している。
【００１８】
第１のヒンジ部８は、それぞれ第１の捻じ込み具で構成されており、これら第１の捻じ込み具は、それぞれドライバで捻じ込み可能な金属製捻じ釘である。そして、これらの金属製捻じ釘は、裏面支持部２の側面に露出する頭部は、裏面支持部２の側面よりも低く埋め込まれた状態で捻じ込まれている。
【００１９】
また、裏面支持部２の２本の支持腕５（５ａ、５ｂ）の連結棒６に連結されている側の端部には、円柱状の凸部９（９ａ、９ｂ）が接着剤又は捻じ込み具により固定されている。尚、この円柱状の凸部９は支持腕５の上部を削り込んで形成するようにしてもよい。この円柱状の凸部９は、２つの弾き爪を保持するものである。
【００２０】
底面支持部３は、組立後に三味線の胴部底面両側部を支持するための２本の側底支持部１１（１１ａ、１１ｂ）と、これら２本の側底支持部１１を連結する連結棒１２とから成るほぼコの字形の形状に形成されている。連結棒１２は連結具１３（１３ａ、１３ｂ）により２本の側底支持部１１に固定されている。
【００２１】
上記の連結棒１２の両端部には、側底支持部１１の側面外側に延び出す第１のストッパ１２−１、１２−２が形成されている。また、側底支持部１１ａ、１１ｂの背面側の内側角部には三味線の胴底部両側部に当たる部分に、凸状のＲをつけた切込み部１４（１４ａ、１４ｂ）が形成されている。
【００２２】
この底面支持部３は、コの字形の開口部に対向する一辺を成す連結棒１２の在る側の端部近傍を、上述したように裏面支持部２により回動自在に保持されている。
【００２３】
そして、この底面支持部３は、コの字形の開口側の側底支持部１１の端部間に、上述した前下部支持部４を第２のヒンジ部１５（１５ａ、１５ｂ、ただし１５ｂは図１(b) 、図２(a),(b) では紙面奥行き方向の向う側になっているので見えない）により回動自在に保持している。
【００２４】
この第２のヒンジ部１５は、それぞれ第２の捻じ込み具で構成されており、これら第２の捻じ込み具は、それぞれドライバで捻じ込み可能な金属製捻じ釘である。そして、これらの金属製捻じ釘は、底面支持部３の側面に露出する頭部は、底面支持部３の側面よりも低く埋め込まれた状態で捻じ込まれている。
【００２５】
前下部支持部４は、三味線の胴前部の下部を保持するために組みつけられており、軽量化のため、大小２つのほぼ半円形の切り欠き部１７（１７ａ、１７ｂ）を形成されている。
【００２６】
また、前下部支持部４の小さい半円形の切り欠き部１７ｂが形成されている側の第２のヒンジ部１５（図２(a) の１５ａ参照）の在る胴前下部保持部１６の縁部は、底面支持部３の側底支持部１１の端部を回り込むように張り出して前下部支持部４の胴前下部保持部１６と一体に形成された第２のストッパ１８（１８ａ、１８ｂ）が設けられている。
【００２７】
上記の構成において、この折畳式携帯型三味線立て１を、第１のヒンジ部８及び第２のヒンジ部１５により、全体を折り畳み方向に回動させて折り畳んだときは、図１(a),(b),(c) に示すように、全体の外輪郭が裏面支持部２または底面支持部３の側面の短手方向の寸法とほぼ同一の厚さの一枚の板状体を形成する。
【００２８】
そして、折り畳を開いて組み立てるときは、第１のヒンジ部８により裏面支持部２と底面支持部３を畳みを開く方向に相対的に回動させ、第２のヒンジ部１５により底面支持部３と前下部支持部４を畳みを開く方向に相対的に回動させる（図１(a) において片手で支持腕５（５ａ又は５ｂ）と連結棒６を持ち支え、他の手で前下部支持部４の大きい半円形切り欠き部１７ａ部分を手前に引く）。
【００２９】
これにより、図２(a) に示すように、裏面支持部５と底面支持部３は相対的にほぼ直角に開き、底面支持部３と前下部支持部４も相対的にほぼ直角に開き、組立後に所定の向きで平面に置いたとき、図２(b) に示すように、裏面支持部５は三味線の胴部裏面側上部を支持すべく鉛直方向やや斜めに立設し、底面支持部３はは三味線の胴部底面両側部を支持すべく水平方向やや斜めに展開し、前下部支持部４は三味線の胴部前側下部を支持すべく鉛直方向やや斜めに立設する。
【００３０】
このとき、底面支持部３の第１のヒンジ部８の近傍に形成されている第１のストッパ１２が、裏面支持部２の回動開き角度を、所定の角度でその開きを抑止する。また、前下部支持部４の回動部近傍に形成されている第２のストッパ１８が、底面支持部３の回動開き角度を、所定の角度でその開きを抑止するようになっている。
【００３１】
図３は、本発明の上記実施例１に係る折畳式携帯型三味線立ての、組立後において三味線本体２０と２個の弾き爪２１（２１ａ、２１ｂ）を円柱状の凸部９（９ａ、９ｂ）に保持した状態の全体像を示す斜視図である。このように、実施例１に係る折畳式携帯型三味線立ては、折り畳を開いて組み立てた後、平面１９（図２(a) 参照）に載置されたとき、使用可能な三味線立てを形成する。
【産業上の利用可能性】
【００３２】
本発明は、三味線のための折畳式携帯型の置き台に利用することができる。
【符号の説明】
【００３３】
１  折畳式携帯型三味線立て
２  裏面支持部
３  底面支持部
４  前下部支持部
５（５ａ、５ｂ）  支持腕
６  連結棒
７（７ａ、７ｂ）  連結具
８（８ａ、８ｂ）  第１のヒンジ部
９（９ａ、９ｂ）  円柱状凸部
１０  楽譜背受部
１１（１１ａ、１１ｂ）  側底支持部
１２  連結棒
１２−１、１２−２  第１のストッパ
１３（１３ａ、１３ｂ）  連結具
１４（１４ａ、１４ｂ）  切込み部
１５（１５ａ、１５ｂ）  第２のヒンジ部
１６  胴前下部保持部
１７（１７ａ、１７ｂ）  半円形切り欠き部
１８（１８ａ、１８ｂ）  第２のストッパ
１９  平面
【図１】
2010175826.tif 000003
【図２】
2010175826.tif 000004
【図３】
2010175826.tif 000005